(57)【要約】【課題】商品の卸元が海外で、システムへの登録をＵＳドル単価で行った場合、日本円による単価及び合計金額を直ぐに知ることができる畳表のオンライン調達、販売システムの提供。【解決手段】複数の端末と、該複数の端末にネットワークを介して接続される管理機関とを用いて、該端末間における畳表の調達・販売を行う畳表のオンライン調達・販売システムにおいて、予め記憶された為替レートに基づいて、日本円による金額に変換し、選択された商品の商品名、価格等の商品情報及び日本円による金額の項目を有する注文書を前記購入者端末に対し出力するとともに、注文を促す手段と、入力された注文データを記憶する手段とを備えることを特徴とする畳表のオンライン調達・販売システム。【選択図】　　　図５
2004070546.tif 000002
【特許請求の範囲】
【請求項１】
複数の端末と、該複数の端末にネットワークを介して接続される管理機関とを用いて、該端末間における畳表の調達・販売を行う畳表のオンライン調達・販売システムにおいて、前記端末は販売者端末と、購入者端末を有し、前記管理機関は、販売者端末に対して取引対象の商品について、少なくとも該商品を特定するための商品名及び価格を含む商品情報の登録を促す手段と、前記販売者端末からの前記商品情報を記憶する手段とを備える一方、前記購入者端末に対しては前記商品情報の検索を促す手段と、検索条件に合致する商品情報を読み出す手段と、読み出された商品情報を前記購入者端末に対し出力するとともに、注文する商品の選択及び数量の入力を促す手段と、登録された商品の価格がＵＳドルによる場合、予め記憶された為替レートに基づいて、日本円による金額に変換し、選択された商品の商品名、価格等の商品情報及び日本円による金額の項目を有する注文書を前記購入者端末に対し出力するとともに、注文を促す手段と、入力された注文データを記憶する手段とを備えることを特徴とする畳表のオンライン調達・販売システム。
【発明の詳細な説明】
【０００１】
【発明の属する技術分野】
本発明は、インターネットを利用した畳表のオンライン調達・販売システムに関するものである。
【０００２】
【従来の技術】
既に、インターネット等のネットワークを利用して、販売者が畳表等の商品の小売りをするオンラインショッピングが実施されているが、販売者がシステムの管理者であり、あくまでも既に在庫として保持している商品、あるいは受注後にサービスを行う管理者が仕入れを行い販売するものである。
【０００３】
【発明が解決しようとする課題】
このようなオンラインショッピングでは、一販売者の取り扱う商品は限られ、購入者は限られた商品の中から選択して購入することになる。
一方、商品の卸元が海外で、システムの商品登録をその国の貨幣単価で行う場合、一般的に商品の金額は入力をはじめに行った際の表示法、すなわちその国の通貨により表示され、すぐに日本円の金額を知ることはできない。
そこで、本発明は、係る問題点を解消すべく、複数の販売者と購入者を仲介する管理機関を設け、複数の販売者の中から購入者が自由に取引相手を見つけ売買を行い、主催元の管理機関は物理的に資材を仕入れすることなく販売でき、さらに販売者が海外であっても日本円による金額を知ることができる畳表のオンライン調達・販売システムの提供を目的とする。
【０００４】
【課題を解決するための手段】
本発明に係る畳表のオンライン調達・販売システムは、複数の端末と、該複数の端末にネットワークを介して接続される管理機関とを用いて、該端末間における畳表の調達・販売を行う畳表のオンライン調達・販売システムにおいて、前記端末は販売者端末と、購入者端末を有し、前記管理機関は、販売者端末に対して取引対象の商品について、少なくとも該商品を特定するための商品名及び価格を含む商品情報の登録を促す手段と、前記販売者端末からの前記商品情報を記憶する手段とを備える一方、前記購入者端末に対しては前記商品情報の検索を促す手段と、検索条件に合致する商品情報を読み出す手段と、読み出された商品情報を前記購入者端末に対し出力するとともに、注文する商品の選択及び数量の入力を促す手段と、登録された商品の価格がＵＳドルによる場合、予め記憶された為替レートに基づいて、日本円による金額に変換し、選択された商品の商品名、価格等の商品情報及び日本円による金額の項目を有する注文書を前記購入者端末に対し出力するとともに、注文を促す手段と、入力された注文データを記憶する手段とを備えることを特徴とする。
【０００５】
【発明の実施の形態】
以下、本発明における一実施形態について図面を参照して説明する。本システムは、複数の販売者と購入者を仲介する管理機関を設け、オンラインで商品の調達・販売を行うものである。
図１は本実施形態の構成を示すブロック図である。この図において、１０は管理機関であり、販売者により登録された商品を購入者に販売する処理を行う機関で、サーバ等のコンピュータからなり、経路制御装置、電話回線を経由してインターネットに接続されている。また、１０１は販売者端末で、販売対象の商品を管理機関１０に登録するための端末であり、１０２は購入者端末で、購入者が物品を購入するための端末であり、販売者端末１０１及び購入者端末１０２は管理機関１０と同様にしてインターネットに接続される。ここで、販売者端末１０１、購入者端末１０２は表示部、入力部等を有するパソコンである。
【０００６】
次に、管理機関１０の詳細構成について説明する。図２は、管理機関１０の構成を示すブロック図である。この図において、１１は制御手段であり、ＣＰＵ等から構成され、各部の制御やデータの転送、種々の演算、データの一時的な格納等を行う。１２は入力制御手段であり、インターネットを介して接続された端末から入力されたデータを制御する。１３は出力制御手段であり、端末に出力されるデータを制御する。１４は記憶手段であり、メインプログラム１５、為替レートファイル１６、顧客ＤＢ（Ｄａｔａ　Ｂａｓｅ）１７、商品ＤＢ１８、履歴ＤＢ１９が記憶されている。
【０００７】
ここで、メインプログラム１５は、制御手段１１において用いられるものであり、例えば、端末の表示部に商品情報を表示させるプログラムや、文字検索により必要な情報を得るための検索用プログラム等から構成される。なお、これらの動作については、いずれも後述する。次に、為替レートファイル１６は、為替レートを記憶する。該為替レートは随時サーバ管理者により更新されている。顧客ＤＢ１７は、本システムを利用する顧客の情報を記憶し、登録番号、パスワード、氏名（販売者名／購入者名）、住所、電話番号等の顧客に関する固有の情報から構成されている。なお、販売者又は購入者は、前もってサーバ管理者にオンライン又はオフラインで必要なデータを送り本システムの利用契約を結び、登録番号とパスワードを付与してもらう。商品ＤＢ１８は、販売者により販売者端末１０１を用いて登録された各商品についての商品情報を記憶し、販売者の登録番号、商品名、規格、ＵＳドル単価等から構成される。履歴ＤＢ１９は、成立した取引の履歴情報を記憶し、購入者の登録番号、商品名、規格、数量等から構成される。
【０００８】
次に実施形態の動作について説明する。ここで、販売者端末１０１、購入者端末１０２はそれぞれ管理機関１０と接続されて通信を行うが、まず販売者端末１０１が接続されたとして、以下説明を行う。管理機関１０に販売者端末１０１が接続されると、制御手段１１は、この接続を入力制御手段１２を介して検知し、メインプログラム１５にしたがって販売者端末１０１を制御する。図３および図４はかかるメインプログラムの動作を示すフローチャートである。
【０００９】
商品の登録の過程を説明する。まず、図３に示したステップＳａ１において、制御手段１１は、販売者端末１０１の表示部に対し、登録番号入力画面を表示させるように制御する。この登録番号入力画面には、端末操作者に対して、登録番号、パスワードの入力を促すよう表示される。これに対応して端末操作者は入力部より、登録番号、パスワードを入力する。かかる操作により、制御手段１１は、入力された登録番号とパスワードとが、顧客ＤＢ１７に登録された登録番号とパスワードとに、一致するかチェックする。ここで制御手段１１は、一致していないと判断すれば、手順をステップＳａ２に進ませ、販売者端末１０１の表示部に対し、「登録番号かパスワードが不正である」旨を表示させる制御をした後、手順をステップＳａ１に戻して再び登録番号入力画面を表示させる。一方、制御手段１１は一致していると判断すれば、次のステップＳａ３の処理を行う。
【００１０】
ステップＳａ３において、制御手段１１は、販売者端末１０１の表示部に対し、メニュー画面を表示させ、端末操作者に対して、本実施形態の処理である「商品の登録」、「商品の検索」の中から所望する処理を選択するように促す。かかるメニュー画面においては、マウスカーソルが表示され所定の場所をクリックすることにより、種々の操作を行えるようになっている。ここでは、端末操作者は、「商品の登録」の処理を選択する。すると、これを検知した制御手段１１は、手順を図４に示したステップＳｂ１に進ませる。
【００１１】
ステップＳｂ１において、制御手段１１は、販売者端末１０１に対し、商品名、規格、単価等の商品情報の入力画面を表示させる制御を行って、端末操作者に対し商品情報の入力を促す。ここで、販売者が海外である場合、商品の単価はＵＳドル単価によるものとなる。そして、端末操作者は商品名、規格、単価等の商品情報を入力した後、登録ボタンをクリックする。すると、制御手段１１は、手順をステップＳｂ２に進ませる。
【００１２】
ステップＳｂ２において、制御手段１１は、入力された商品情報を販売者端末１０１の表示部に表示させて、その内容の確認を端末操作者に促す。この際、端末操作者が商品情報の再入力を行うのであれば、所定の操作を行う。これにより、制御手段１１の制御によって、先の商品情報の入力画面に戻る一方、商品情報に誤りがなければ、手順はステップＳｂ３に進む。
【００１３】
ステップＳｂ３において、制御手段１１は、販売者端末１０１の表示部に対し、「登録しました」旨の表示を行うとともに、商品情報を商品ＤＢ１７に格納する。そして、この後、制御手段１１は、手順をステップＳａ１の登録番号入力画面に戻す。
【００１４】
このように、商品ＤＢ１９は、販売者の操作により、容易に登録が可能であるので、常に最新の商品情報を保つことが可能であり、また、その登録の際には、登録番号、パスワードが求められるのでセキュリティも保たれる。以上は一販売者の登録について述べたが、異なる販売者からの商品情報の入力が可能であるため、種々の商品情報が商品ＤＢに蓄積されることになる。
【００１５】
次に、商品の検索及び販売の過程を説明する。ここでは、管理機関１０に購入者端末１０２が接続されたとして説明を行う。なお、管理機関１０に購入者端末１０２が接続されてから、図３に示したステップＳａ３の処理（メニュー画面の表示）までの過程は、登録時と同様であるのでかかる過程の説明については省略する。
【００１６】
さて、商品情報を受ける端末操作者は、図３に示したステップＳａ３のメニュー画面において、「商品の検索」の処理を選択する。すると、これを検知した制御手段１１は、ステップＳａ４に進ませる。
【００１７】
ステップＳａ４において、制御手段１１は、購入者端末１０２に対し、検索案内画面を表示し、検索条件の入力を促す。そして、端末操作者はかかる画面において、商品情報に対し検索を行う。かかる操作により、制御手段１１は、手順をステップＳａ５に進ませる。
【００１８】
ステップＳａ５において、商品情報はすべて商品ＤＢ１８に格納されているので、制御手段１１は、購入者端末１０２による操作に対し、文字列のアンド・オア検索やキーワード検索等を行って、商品ＤＢ１８から必要な情報を読み出し、購入者端末１０２に対し検索結果を画面表示し、さらに注文する商品の選択及び数量等の入力を促す。これにより、端末操作者は複数の販売者の中から所望の検索結果を得ることができる。そして、該検索結果より、注文する商品を選択して、数量等を入力する。かかる操作により、制御手段１１は、手順をステップＳａ６に進ませる。
【００１９】
ステップＳａ６において、選択された商品の価格がＵＳドル単価による場合、制御手段１１は、為替レートファイル１６から現時点において登録されている為替レートを読み出し、ＵＳドル単価を円単価に変換し、さらにＵＳドル単価に数量を掛けたＵＳドル金額、ＵＳドル金額を合計したＵＳドル金額計、ＵＳドル金額計を円単位に変換した円金額計を計算する。そして、図５に示すような為替レート２１、商品名２２、規格２３、数量２４、単位２５、ＵＳドル単価２６、円単価２７、ＵＳドル金額２８、ＵＳドル金額計２９、円金額計３０等の項目を有する注文書を、購入者端末１０２の表示部に表示させる。さらに、その内容の確認をさせ、注文を端末操作者に促す。端末操作者は、注文する場合には注文ボタンをクリックする。かかる操作により、制御手段１１は、手順をステップＳａ７に進ませる。
【００２０】
ステップＳａ７において、制御手段１１は、購入者端末１０２の表示部に対し、注文が完了したことを通知する表示を行うとともに、取引の履歴を履歴ＤＢ１９に格納する。そして、この後、制御手段１１は、手順をステップＳａ１の登録番号入力画面に戻す。また、管理機関１０は、販売者に対し、成立した取引の情報を販売者に通知する受注・出荷処理を行う。
【００２１】
【発明の効果】
以上説明したように、本発明によれば、購入者は管理機関に登録された複数の販売者の中から自由に取引相手を見つけ、売買を行うことができ、その際、商品の卸元が海外で、システムへの登録をＵＳドル単価で行った場合でも、日本円による単価及び合計金額をすぐに知ることができる。
【図面の簡単な説明】
【図１】本実施形態の構成を示すブロック図である。
【図２】サーバの構成を示すブロック図である。。
【図３】メインプログラムの動作を示すフローチャートである。
【図４】メインプログラムの動作を示すフローチャートである。
【図５】注文書画面の説明図である。
【符号の説明】
１０　　管理機関
１１　　制御手段
１２　　入力制御手段
１３　　出力制御手段
１４　　記憶手段
１５　　メインプログラム
１６　　為替レートファイル
１７　　顧客ＤＢ
１８　　商品ＤＢ
１９　　履歴ＤＢ
２１　　為替レート
２２　　商品名
２３　　規格
２４　　数量
２５　　単位
２６　　ＵＳドル単価
２７　　円単価
２８　　ＵＳドル金額
２９　　ＵＳドル金額計
３０　　円金額計
１０１　販売者端末
１０２　購入者端末
【図１】
2004070546.tif 000003
【図２】
2004070546.tif 000004
【図３】
2004070546.tif 000005
【図４】
2004070546.tif 000006
【図５】
2004070546.tif 000007